(57)【要約】【課題】所望の被写体にフォーカスの合った画像を精度良く選択することができる撮影装置を提供する。【解決手段】AF評価値算出部１２は、フォーカスブラケット撮影された画像の各々の合焦状態を表すAF評価値を算出する。制御部１４は、AF評価値算出部１２によって算出されたAF評価値に基づいて画像を選択する。また、制御部１４は、フォーカスブラケット撮影された画像を表示部１１に表示させた状態で、操作部１５の操作状態に応じて、画像のAF評価値を算出する領域を示す評価エリアの大きさおよび位置の少なくとも一方の属性を設定する。【選択図】図１
2008263486.tif 000002
【特許請求の範囲】
【請求項１】
フォーカス位置を順次変更しながら連続的に撮影するフォーカスブラケット撮影を実行する機能を備えた撮像装置において、
前記フォーカスブラケット撮影された画像の各々の合焦状態を表す合焦評価値を算出する評価値算出部と、
前記評価値算出部によって算出された前記合焦評価値に基づいて画像を選択する画像選択部と、
前記フォーカスブラケット撮影された画像を表示する表示部と、
前記フォーカスブラケット撮影された画像を前記表示部に表示させた状態で、当該画像の前記合焦評価値を算出する領域を示す評価エリアの大きさおよび位置の少なくとも一方の属性を連続的に変更して設定可能な評価エリア設定部と、
を有することを特徴とする撮像装置。
【請求項２】
前記評価エリア設定部は、前記評価エリアの大きさおよび位置の少なくとも一方の属性を入力するための属性入力部と、前記属性入力部に入力された属性を前記評価エリアに設定する属性設定部と、前記評価エリアにおける前記合焦評価値の演算の実行指示を入力するための演算指示入力部とを有し、
前記評価値算出部は、前記演算指示入力部に前記実行指示が入力された場合に、前記評価エリアの画像における前記合焦評価値を算出する
ことを特徴とする請求項１に記載の撮像装置。
【請求項３】
前記表示部は、前記フォーカスブラケット撮影された画像に前記評価エリアを重畳して表示し、
前記属性入力部に入力された前記評価エリアの大きさまたは位置の変更指示と連動して、前記表示部によって表示されている前記評価エリアの大きさまたは位置が変化する
ことを特徴とする請求項２に記載の撮像装置。
【請求項４】
前記評価エリアは、前記表示部によって表示されている画像の表示領域と連動して設定され、
前記属性入力部に入力された画像の拡大、縮小、または前記表示領域の移動指示と連動して、前記評価エリアの大きさまたは位置が変化する
ことを特徴とする請求項２に記載の撮像装置。
【発明の詳細な説明】
【技術分野】
【０００１】
本発明は、フォーカス位置を順次変更しながら連続的に撮影するフォーカスブラケット撮影を実行する機能を備えた撮像装置に関する。
【背景技術】
【０００２】
デジタルカメラにおいて、例えばマクロ撮影のように被写界深度の浅い撮影を行う場合には、撮影者が所望する被写体にフォーカス（焦点）の合った撮影ができるとは限らない。そこで、例えば特許文献１では、フォーカス位置を変えながら連続撮影を行うフォーカスブラケット撮影を行い、合焦状態が良好な画像を選択して記録することが可能なデジタルカメラが開示されている。
【０００３】
特許文献１に記載されたデジタルカメラは、レリーズボタンが押されるとフォーカスブラケット撮影を開始し、所定ステップ毎にフォーカス位置を変化させながら連続撮影を行う。そして、撮影された複数の画像の各々について合焦状態を評価するための評価エリアを設定し、設定された評価エリア毎にAF評価値を演算する。そして、AF評価値の最も高い画像を記録画像として自動選択し、または撮影者がAF評価値を参照して記録画像を選択し、記録メディアに記録する。
【特許文献１】特開２００４−１３５０２９号公報
【発明の開示】
【発明が解決しようとする課題】
【０００４】
例えばマクロ撮影の場合、被写界深度が浅いため、フォーカスブラケット撮影時のレンズの移動間隔を短くすることにより、撮影者が所望する被写体に合焦させる。しかし、特許文献１に記載されたカメラでは、撮影者が所望する被写体の画像内での位置と、カメラが設定するAF評価値の算出エリアとが一致しているとは限らないため、撮影者が所望する被写体にフォーカスの合った画像を選択する精度が落ちるという問題があった。
【０００５】
本発明は、上述した課題に鑑みてなされたものであって、所望の被写体にフォーカスの合った画像を精度良く選択することができる撮影装置を提供することを目的とする。
【課題を解決するための手段】
【０００６】
本発明は、上記の課題を解決するためになされたもので、フォーカス位置を順次変更しながら連続的に撮影するフォーカスブラケット撮影を実行する機能を備えた撮像装置において、前記フォーカスブラケット撮影された画像の各々の合焦状態を表す合焦評価値を算出する評価値算出部（図１、図５のAF評価値算出部１２に対応）と、前記評価値算出部によって算出された前記合焦評価値に基づいて画像を選択する画像選択部（図１、図５の制御部１４に対応）と、前記フォーカスブラケット撮影された画像を表示する表示部（図１、図５の表示部１１に対応）と、前記フォーカスブラケット撮影された画像を前記表示部に表示させた状態で、当該画像の前記合焦評価値を算出する領域を示す評価エリアの大きさおよび位置の少なくとも一方の属性を連続的に変更して設定可能な評価エリア設定部（図１、図５の操作部１５、制御部１４に対応）とを有することを特徴とする撮像装置である。
【０００７】
また、本発明の撮像装置において、前記評価エリア設定部は、前記評価エリアの大きさおよび位置の少なくとも一方の属性を入力するための属性入力部（図３の縮小ボタン５１、拡大ボタン５２、方向指示ボタン５３，５４，５５，５６に対応）と、前記属性入力部に入力された属性を前記評価エリアに設定する属性設定部（図１、図５の制御部１４に対応）と、前記評価エリアにおける前記合焦評価値の演算の実行指示を入力するための演算指示入力部（図３の評価値生成ボタン５７に対応）とを有し、前記評価値算出部は、前記演算指示入力部に前記実行指示が入力された場合に、前記評価エリアの画像における前記合焦評価値を算出することを特徴とする。
【０００８】
また、本発明の撮像装置において、前記表示部は、前記フォーカスブラケット撮影された画像に前記評価エリアを重畳して表示し、前記属性入力部に入力された前記評価エリアの大きさまたは位置の変更指示と連動して、前記表示部によって表示されている前記評価エリアの大きさまたは位置が変化することを特徴とする。
【０００９】
また、本発明の撮像装置において、前記評価エリアは、前記表示部によって表示されている画像の表示領域と連動して設定され、前記属性入力部に入力された画像の拡大、縮小、または前記表示領域の移動指示と連動して、前記評価エリアの大きさまたは位置が変化することを特徴とする。
【００１０】
上記において、括弧で括った部分の記述は、後述する本発明の実施形態と本発明の構成要素とを便宜的に対応付けるためのものであり、この記述によって本発明の内容が限定されるわけではない。
【発明の効果】
【００１１】
本発明によれば、フォーカスブラケット撮影された画像を表示部に表示させた状態で、評価エリアの大きさおよび位置の少なくとも一方の属性を設定することによって、所望の被写体を含むように評価エリアを設定することが可能となる。このように設定された評価エリアで算出された合焦評価値に基づいて画像を選択することにより、所望の被写体にフォーカスの合った画像を精度良く選択することができる。
【発明を実施するための最良の形態】
【００１２】
以下、図面を参照し、本発明の実施形態を説明する。
【００１３】
（第１の実施形態）
まず、本発明の第１の実施形態を説明する。図１は、本実施形態によるデジタルカメラ（撮像装置）の構成を示している。図１において、光学ユニット１は、被写体像を結像させるためのレンズ（ズームレンズやフォーカスレンズ）を含んで構成されており、駆動部６により、撮影倍率や焦点位置などの調整が行われる。光学ユニット１より出射された光学像は、光学ユニット１の光軸後方に配置された撮像部２に入射し、被写体像として撮像面に結像される。
【００１４】
撮像部２は、撮像面に結像された被写体像を電気信号（以下、撮像信号と称する）に光電変換する撮像素子を含んで構成されている。アナログ信号処理部３は、撮像部２から出力された撮像信号に所定のアナログ信号処理を施す。A/D変換器４は、アナログ信号処理部３から出力された撮像信号をデジタル撮像信号に変換する。デジタル信号処理部５は、A/D変換器４から出力されたデジタル撮像信号に所定のデジタル信号処理を施す。
【００１５】
バス７には、デジタル信号処理部５の他、保持部８、画像処理部９、表示制御部１０、AF評価値算出部１２、記録メディア１３、および制御部１４が接続されている。保持部８は、デジタル信号処理部５から出力されたデジタル撮像信号を保持する。画像処理部９はホワイトバランス調整やガンマ処理等の画像処理を行う。表示制御部１０には、撮影画像や各種情報を表示する表示部１１が接続されている。表示制御部１０は、表示部１１が表示するのに適した画像となるように所定の信号変換処理等を行う。
【００１６】
AF評価値算出部１２は、画像の合焦状態を表すAF評価値（合焦評価値）を算出する。記録メディア１３は、デジタル撮像信号の記録用のメディアである。制御部１４はデジタルカメラ内の各部を制御する。操作部１５は、撮影者が各種指示を入力するためのボタン等を含んで構成されている。制御部１４は、操作部１５から出力される信号に基づいて、操作部１５のボタン等の操作を検出する。
【００１７】
次に、本実施形態によるデジタルカメラの撮影時の概略動作を説明する。光学ユニット１によって撮像部２の撮像面に被写体像が結像され、撮像部２によって被写体像が撮像信号に変換される。撮像部２から出力された撮像信号はアナログ信号処理部３、A/D変換器４、およびデジタル信号処理部５によって順次処理される。デジタル信号処理部５から出力されたデジタル撮像信号は、バス７を介して保持部８に入力され、保持部８によって保持される。
【００１８】
制御部１４は、操作部１５の操作状態に応じて、各部に対して動作パラメータを与え、各部の動作を制御する。具体的には、制御部１４は、撮影者による操作部１５の操作によりズーム操作（ズームイン、ズームアウト）がなされた場合には、駆動部６を介して撮影倍率を変更する。これにより、撮影者が所望する撮影倍率で撮影が行われ、上記のようにデジタル撮像信号が保持部８に保持される。
【００１９】
また、デジタル撮像信号はAF評価値算出部１２にも入力され、AF評価値算出部１２によってAF評価値が算出される。具体的には、AF評価値は、デジタル撮像信号に対してハイパスフィルタ処理を行い、その結果を積算することで得られる。保持部８に保持されたデジタル撮像信号は、バス７を介して画像処理部９により読み出され、ホワイトバランス調整やガンマ処理等の画像処理が施され、また、YC変換処理により輝度データYとクロマデータCb，Cr（YC信号）に変換され、保持部８に画像データとして書き戻される。
【００２０】
保持部８に書き戻された画像データは、バス７を介して表示制御部１０によって読み出され、NTSC方式等の所定の方式の映像信号に変換されて表示部１１に出力される。また、表示制御部１０は、OSD（On Screen Display）データを画像データに重畳する処理を実行し、撮影条件などの情報を表示部１１に表示させる。
【００２１】
本実施形態では通常の撮影の他にフォーカスブラケット撮影が可能となっている。操作部１５は、後述するように複数のボタンを備えており、フォーカスブラケット撮影が行われた場合の各種属性（後述する評価エリアの大きさや位置）の設定指示を入力するために用いられる。フォーカスブラケット撮影時においては、制御部１４は駆動部６を駆動し、図２に示すように、所定ステップ毎にフォーカスレンズ位置を移動させて、５箇所のフォーカスレンズ位置で、連続して撮影を行う。
【００２２】
フォーカスブラケット撮影では、所定ステップ毎に連続撮影された５枚分の画像データが保持部８により保持される。後述するように制御部１４は、撮影により得られた５枚の画像の中から、撮影者による操作部１５の操作に応じて、撮影者が所望する画像を選択する。
【００２３】
次に、操作部１５が備えるボタン操作の一例を説明する。図３は、ボタン操作に応じた表示部１１の画面の変化を示している。縮小ボタン５１、拡大ボタン５２、方向指示ボタン５３，５４，５５，５６、評価値生成ボタン５７、画像選択ボタン５８、および保存ボタン５９は、操作部１５が備えるボタンである。これらのボタンを、同様の機能を備えたスイッチ等で置き換えてもよい。表示画面６０は表示部１１の画面であり、ここに画像が表示される。画像には、画像のAF評価値を算出する領域を示す評価エリア６１が重畳されて表示される。
【００２４】
縮小ボタン５１は、評価エリア６１の縮小指示を入力するためのボタンである。撮影者により縮小ボタン５１が押されると、制御部１４は、OSDで表示している評価エリア６１を所定の割合で縮小表示するように、表示制御部１０の設定パラメータを変更する。図３（ａ）の状態で縮小ボタン５１が押されると、図３（ｂ）の状態となり、評価エリア６１が縮小表示される。
【００２５】
拡大ボタン５２は、評価エリア６１の拡大指示を入力するためのボタンである。撮影者により拡大ボタン５２が押されると、制御部１４は、OSDで表示している評価エリア６１を所定の割合で拡大表示するように、表示制御部１０の設定パラメータを変更する。図３（ａ）の状態で拡大ボタン５２が押されると、図３（ｃ）の状態となり、評価エリア６１が拡大表示される。
【００２６】
方向指示ボタン５３，５４，５５，５６は、評価エリア６１の移動指示を入力するためのボタンである。撮影者により方向指示ボタン５３，５４，５５，５６のいずれかが押されると、制御部１４は、OSDで表示している評価エリア６１を所定の量だけ、上、左、右、下のいずれかに移動表示させるように、表示制御部１０の設定パラメータを変更する。
【００２７】
評価値生成ボタン５７は、AF評価値の生成指示を入力するためのボタンである。撮影者により評価値生成ボタン５７が押されると、制御部１４は、フォーカスブラケット撮影を行った５枚の画像について、評価エリア６１が示す位置の画像データを用いてAF評価値を算出するように、AF評価値算出部１２の設定パラメータを変更する。
【００２８】
画像選択ボタン５８は、画像の選択指示を入力するためのボタンである。撮影者により画像選択ボタン５８が押されると、制御部１４は、表示されている画像の次にAF評価値が高い画像を表示させるように、表示制御部１０の設定パラメータを変更する。保存ボタン５９は、保存指示を入力するためのボタンである。撮影者により保存ボタン５９が押されると、制御部１４は、記録メディア１３に対して、表示部１１が表示している画像に係る画像データを保存する。
【００２９】
次に、図４を参照しながら、フォーカスブラケット撮影後の画像選択処理の内容を説明する。撮影者がレリーズボタンを押し、撮影指示を入力すると、前述したフォーカスブラケット撮影が実行され、５枚の画像が撮像される。フォーカスブラケット撮影の終了後、撮影者は合焦させたい被写体を指定する。具体的には、撮影者は、OSDで表示されている評価エリア６１に所望の被写体が含まれるように、評価エリア６１の大きさおよび位置の少なくとも一方を設定する。この設定された評価エリア６１で示す画像データに基づいてAF評価値が算出され、AF評価値に基づいて画像が選択される。
【００３０】
具体的には、以下の手順で評価エリアの設定および画像の選択が行われる。評価値生成ボタン５７を押すまで（ステップＳ１でＮＯの場合）、撮影者は評価エリア６１の設定が可能となる。撮影者により縮小ボタン５１が押された場合（ステップＳ２１でＹＥＳの場合）、制御部１４は、表示制御部１０に対して、評価エリア６１を縮小して表示させるように制御を行い（ステップＳ２２）、表示部１１に表示内容を更新させる（ステップＳ２３）。これにより、評価エリア６１が縮小表示される。
【００３１】
また、撮影者により縮小ボタン５１は押されず（ステップＳ２１でＮＯの場合）、拡大ボタン５２が押された場合（ステップＳ３１でＹＥＳの場合）、制御部１４は、表示制御部１０に対して、評価エリア６１を拡大して表示させるように制御を行い（ステップＳ３２）、表示部１１に表示内容を更新させる（ステップＳ３３）。これにより、評価エリア６１が拡大表示される。
【００３２】
また、撮影者により縮小ボタン５１も拡大ボタン５２も押されず（ステップＳ２１およびＳ３１でＮＯの場合）、方向指示ボタン５３，５４，５５，５６のいずれかが押された場合（ステップＳ４１でＹＥＳの場合）、制御部１４は、表示制御部１０に対して、評価エリア６１を移動して表示させるように制御を行い（ステップＳ４２）、表示部１１に表示内容を更新させる（ステップＳ４３）。これにより、評価エリア６１が上、左、右、下のいずれかの方向に移動する。
【００３３】
ステップＳ２３，Ｓ３３，Ｓ４３のいずれかの処理が行われた場合、またはどのボタンも押されなかった場合には、処理がステップＳ１に戻る。また、撮影者により評価値生成ボタン５７が押された場合（ステップＳ１でＹＥＳの場合）、制御部１４は、AF評価値算出部１２に対して、評価エリア６１が示す座標を与える（ステップＳ２）。AF評価値算出部１２は、フォーカスブラケット撮影された５枚の画像の、設定された評価エリア６１の画像データを保持部８から読み出し、各々のAF評価値を算出する（ステップＳ３）。AF評価値算出部１２によって算出された各々の画像のAF評価値は制御部１４に通知される。
【００３４】
AF評価値の算出後、制御部１４はAF評価値を値の高い順にソートし（ステップＳ４）、AF評価値が最も高い画像を選択する（ステップＳ５）。制御部１４は、表示制御部１０に対して、選択した画像を表示させるように制御を行う（ステップＳ６）。撮影者により画像選択ボタン５８が押された場合（ステップＳ７でＹＥＳの場合）、制御部１４は、現在表示されている画像の次にAF評価値が高い画像を表示するように表示制御部１０を制御する（ステップＳ６）。画像選択ボタン５８が押される毎に、その時点で表示されている画像の次にAF評価値が高い画像が表示される。
【００３５】
撮影者により画像選択ボタン５８が押されずに（ステップＳ７でＮＯの場合）、保存ボタン５９が押された場合（ステップＳ８でＹＥＳの場合）、制御部１４は、現在表示されている画像に係る画像データを保持部８から読み出して記録メディア１３に記録する（ステップＳ９）。これにより、図４に示した処理が終了する。また、撮影者により画像選択ボタン５８も保存ボタン５９も押されずに所定時間が経過した場合（ステップＳ８でＮＯの場合）、処理はステップＳ１に戻る。
【００３６】
上記の処理において、撮影者により設定された評価エリア６１で５つの画像のAF評価値を算出し、各画像をAF評価値の高い順に表示し、撮影者に所望の画像を選択させているが、５つの画像のうち、最もAF評価値の高い画像に係る画像データを制御部１４が選択し、記録メディア１３に自動的に記録するようにしてもよい。
【００３７】
上述したように、本実施形態によれば、フォーカスブラケット撮影された画像を表示部１１に表示させた状態で、評価エリア６１の大きさおよび位置の少なくとも一方の属性を設定することによって、所望の被写体を含むように評価エリア６１を設定することが可能となる。このように設定された評価エリア６１で算出されたAF評価値に基づいて画像を選択することにより、所望の被写体にフォーカスの合った画像を精度良く選択することができる。
【００３８】
特に、本実施形態では、撮影者による縮小ボタン５１、拡大ボタン５２、方向指示ボタン５３，５４，５５，５６の操作に応じて、評価エリア６１の大きさおよび位置の少なくとも一方を制御部１４が設定し、撮影者により評価値生成ボタン５７が押された場合に、設定された評価エリア６１の画像におけるAF評価値をAF評価値算出部１２が算出する。これによって、撮影者が所望する被写体を含むように評価エリア６１を精度良く設定することができる。
【００３９】
また、本実施形態では、フォーカスブラケット撮影された画像に評価エリア６１が重畳されて表示され、撮影者による評価エリア６１の大きさまたは位置の変更指示と連動して、表示部１１の表示画面６０に表示されている評価エリア６１の大きさまたは位置が変化する。これによって、撮影者が評価エリア６１を容易に設定することができる。
【００４０】
（第２の実施形態）
次に、本発明の第２の実施形態を説明する。図５は、本実施形態によるデジタルカメラの構成を示している。図５において、図１と同一の構成には同一の符号を付与している。本実施形態では、第１の実施形態と異なり、表示部１１の表示画面に表示された画像全体の領域が評価エリアとなる。このため、AF評価値算出部１２は、表示制御部１０から画像データを受け取り、その画像データのうち、表示部１１の表示画面全体に相当する部分のデータからAF評価値を算出するようになっている。画像の拡大、縮小、および移動により評価エリアの大きさおよび位置を変更することが可能であるのは第１の実施形態と同様である。
【００４１】
図６は、ボタン操作に応じた表示部１１の画面の変化を示している。図６において、図３と同一の構成には同一の符号を付与している。縮小ボタン５１は、画像の縮小指示を入力するためのボタンである。撮影者により縮小ボタン５１が押されると、制御部１４は、表示部１１が表示している画像を所定の割合で縮小表示するように、表示制御部１０の設定パラメータを変更する。図６（ａ）の状態で縮小ボタン５１が押されると、図６（ｂ）の状態となり、画像が縮小表示される。これと連動して、表示画像が示す評価エリアも縮小される。
【００４２】
拡大ボタン５２は、画像の拡大指示を入力するためのボタンである。撮影者により拡大ボタン５２が押されると、制御部１４は、表示部１１が表示している画像を所定の割合で拡大表示するように、表示制御部１０の設定パラメータを変更する。図６（ａ）の状態で拡大ボタン５２が押されると、図６（ｃ）の状態となり、画像が拡大表示される。これと連動して、表示画像が示す評価エリアも拡大される。
【００４３】
方向指示ボタン５３，５４，５５，５６は、画像の移動指示を入力するためのボタンである。撮影者により方向指示ボタン５３，５４，５５，５６のいずれかが押されると、制御部１４は、表示部１１が表示している画像を所定の量だけ、上、左、右、下のいずれかに移動表示させるように、表示制御部１０の設定パラメータを変更する。これと連動して、表示画像が示す評価エリアも移動する。
【００４４】
評価値生成ボタン５７、画像選択ボタン５８、および保存ボタン５９の機能は第１の実施形態と同様である。撮影者により評価値生成ボタン５７が押されると、制御部１４は、フォーカスブラケット撮影を行った５枚の画像に対して、評価エリア６１が示す位置の画像データを用いてAF評価値を算出するように、AF評価値算出部１２の設定パラメータを変更する。撮影者により画像選択ボタン５８が押されると、制御部１４は、表示されている画像の次にAF評価値が高い画像を表示させるように、表示制御部１０の設定パラメータを変更する。撮影者により保存ボタン５９が押されると、制御部１４は、記録メディア１３に対して、表示部１１が表示している画像に係る画像データを保存する。
【００４５】
次に、図７を参照しながら、フォーカスブラケット撮影後の画像選択処理の内容を説明する。撮影者がレリーズボタンを押し、撮影指示を入力すると、前述したフォーカスブラケット撮影が実行され、５枚の画像が撮像される。フォーカスブラケット撮影の終了後、撮影者は合焦させたい被写体を指定する。具体的には、撮影者は、表示部１１の表示画面６０に表示されている画像に所望の被写体が含まれるように、表示画像の大きさおよび位置の少なくとも一方を設定する。この設定された表示画像に対応した評価エリアでAF評価値が算出され、AF評価値に基づいて画像が選択される。
【００４６】
具体的には、以下の手順で評価エリアの設定および画像の選択が行われる。評価値生成ボタン５７を押すまで（ステップＳ１０１でＮＯの場合）、撮影者は評価エリアの設定が可能となる。撮影者により縮小ボタン５１が押された場合（ステップＳ１２１でＹＥＳの場合）、制御部１４は、表示制御部１０に対して、画像を縮小して表示させるように制御を行い（ステップＳ１２２）、表示部１１に表示内容を更新させる（ステップＳ１２３）。これにより、画像が縮小表示される。
【００４７】
また、撮影者により縮小ボタン５１は押されず（ステップＳ１２１でＮＯの場合）、拡大ボタン５２が押された場合（ステップＳ１３１でＹＥＳの場合）、制御部１４は、表示制御部１０に対して、画像を拡大して表示させるように制御を行い（ステップＳ１３２）、表示部１１に表示内容を更新させる（ステップＳ１３３）。これにより、画像が拡大表示される。
【００４８】
また、撮影者により縮小ボタン５１も拡大ボタン５２も押されず（ステップＳ１２１およびＳ１３１でＮＯの場合）、方向指示ボタン５３，５４，５５，５６のいずれかが押された場合（ステップＳ１４１でＹＥＳの場合）、制御部１４は、表示制御部１０に対して、画像を移動して表示させるように制御を行い（ステップＳ１４２）、表示部１１に表示内容を更新させる（ステップＳ１４３）。これにより、画像が上、左、右、下のいずれかの方向に移動する。
【００４９】
ステップＳ１２３，Ｓ１３３，Ｓ１４３のいずれかの処理が行われた場合、またはどのボタンも押されなかった場合には、処理がステップＳ１０１に戻る。また、撮影者により評価値生成ボタン５７が押された場合（ステップＳ１０１でＹＥＳの場合）、制御部１４は、AF評価値算出部１２に対して、表示部１１によって表示されている画像が示す座標を与える（ステップＳ１０２）。表示制御部１０は５枚の画像データを保持部８から読み出してAF評価値算出部１２へ出力し、AF評価値算出部１２は、各画像データについて、表示部１１によって表示されている画像に相当する部分のデータからAF評価値を算出する（ステップＳ１０３）。AF評価値算出部１２によって算出された各々の画像のAF評価値は制御部１４に通知される。
【００５０】
AF評価値の算出後、制御部１４はAF評価値を値の高い順にソートし（ステップＳ１０４）、AF評価値が最も高い画像を選択する（ステップＳ１０５）。制御部１４は、表示制御部１０に対して、選択した画像を表示させるように制御を行う（ステップＳ１０６）。撮影者により画像選択ボタン５８が押された場合（ステップＳ１０７でＹＥＳの場合）、制御部１４は、現在表示されている画像の次にAF評価値が高い画像を表示するように表示制御部１０を制御する（ステップＳ１０６）。画像選択ボタン５８が押される毎に、その時点で表示されている画像の次にAF評価値が高い画像が表示される。
【００５１】
撮影者により画像選択ボタン５８が押されずに（ステップＳ１０７でＮＯの場合）、保存ボタン５９が押された場合（ステップＳ１０８でＹＥＳの場合）、制御部１４は、現在表示されている画像に係る画像データを保持部８から読み出して記録メディア１３に記録する（ステップＳ１０９）。これにより、図７に示した処理が終了する。また、撮影者により画像選択ボタン５８も保存ボタン５９も押されずに所定時間が経過した場合（ステップＳ１０８でＮＯの場合）、処理はステップＳ１０１に戻る。
【００５２】
上記の処理において、撮影者により設定された評価エリアで５つの画像のAF評価値を算出し、各画像をAF評価値の高い順に表示し、撮影者に所望の画像を選択させているが、５つの画像のうち、最もAF評価値の高い画像に係る画像データを制御部１４が選択し、記録メディア１３に自動的に記録するようにしてもよい。
【００５３】
また、上記においては、表示部１１は一度に１つの画像のみを表示しているが、例えば図８に示すように、フォーカスブラケット撮影により得られた複数個の画像を同時に表示させて、ユーザーが各画像の状態を比較し、確認できるようにしてもよい。さらに、図７のステップＳ１０４でのソートの結果、AF評価値が高い順に複数個の画像を同時に表示させてもよい。
【００５４】
また、表示部１１による画像の表示方法を、第１の実施形態で示した表示方法と本実施形態で示した表示方法との間で切り替え可能としてもよい。すなわち、図９（ａ）に示すように、評価エリア６１が表示されている状態で撮影者により画像切り替えボタン６２が押された場合、図９（ｂ）に示すように、評価エリア６１が拡大表示される。図９（ｂ）の状態で再度画像切り替えボタン６２が押された場合には、画像全体の表示に切り替えられ、図９（ａ）の状態に戻る。これにより、評価エリアが示す画像の状態を撮影者が容易に判別することが可能となると共に、撮影者が評価エリアを容易に設定することが可能となる。
【００５５】
また、画像の全体を表示する画面と、画像を拡大する画面とを同時に表示するようにしてもよい。図１０において、表示部１１の表示画面６０中に、画像全体を表示する子画面６３が設けられている。また、子画面６３に表示された画像には、OSDで表示される評価エリア６１が表示され、表示部１１は評価エリア６１の画像を表示画面６０に拡大表示する。評価エリア６１は、第１の実施形態に示したように、方向指示ボタン５３，５４，５５，５６の押下により、移動表示される。これにより、拡大表示している部分が、画像全体のどの位置にあるかを撮影者が容易に判別することが可能となると共に、撮影者が評価エリアを容易に設定することが可能となる。
【００５６】
上述したように、本実施形態によれば、フォーカスブラケット撮影された画像を表示部１１に表示させた状態で、表示部１１の表示画面６０に表示される画像に相当する評価エリアの大きさおよび位置の少なくとも一方の属性を設定することによって、所望の被写体を含むように評価エリアを設定することが可能となる。このように設定された評価エリアで算出されたAF評価値に基づいて画像を選択することにより、所望の被写体にフォーカスの合った画像を精度良く選択することができる。
【００５７】
また、本実施形態では、評価エリアは、表示部１１によって表示されている画像の表示領域と連動して設定され、撮影者による画像の拡大、縮小、または表示領域の移動指示と連動して、表示部１１の表示画面６０に表示されている画像に対応した評価エリアの大きさまたは位置が変化する。これによって、撮影者が評価エリアを容易に設定することができる。さらに、第１の実施形態のように評価エリア６１を表示する場合と比較して、OSDデータを画像データに重畳する処理がなくなるので、画像の表示に係る処理負荷を低減することができる。
【００５８】
以上、図面を参照して本発明の実施形態について詳述してきたが、具体的な構成は上記の実施形態に限られるものではなく、本発明の要旨を逸脱しない範囲の設計変更等も含まれる。
【図面の簡単な説明】
【００５９】
【図１】本発明の第１の実施形態によるデジタルカメラの構成を示すブロック図である。
【図２】本発明の第１の実施形態によるデジタルカメラのフォーカスレンズ位置を示す参考図である。
【図３】本発明の第１の実施形態によるデジタルカメラが表示する画像を示す参考図である。
【図４】本発明の第１の実施形態によるデジタルカメラの動作の手順を示すフローチャートである。
【図５】本発明の第２の実施形態によるデジタルカメラの構成を示すブロック図である。
【図６】本発明の第２の実施形態によるデジタルカメラが表示する画像を示す参考図である。
【図７】本発明の第２の実施形態によるデジタルカメラの動作の手順を示すフローチャートである。
【図８】本発明の第２の実施形態によるデジタルカメラが表示する画像を示す参考図である。
【図９】本発明の第２の実施形態によるデジタルカメラが表示する画像を示す参考図である。
【図１０】本発明の第２の実施形態によるデジタルカメラが表示する画像を示す参考図である。
【符号の説明】
【００６０】
１・・・光学ユニット、２・・・撮像部、３・・・アナログ信号処理部、４・・・A/D変換器、５・・・デジタル信号処理部、６・・・駆動部、７・・・バス、８・・・保持部、９・・・画像処理部、１０・・・表示制御部、１１・・・表示部、１２・・・AF評価値算出部、１３・・・記録メディア、１４・・・制御部、１５・・・操作部
【図１】
2008263486.tif 000003
【図２】
2008263486.tif 000004
【図３】
2008263486.tif 000005
【図４】
2008263486.tif 000006
【図５】
2008263486.tif 000007
【図６】
2008263486.tif 000008
【図７】
2008263486.tif 000009
【図８】
2008263486.tif 000010
【図９】
2008263486.tif 000011
【図１０】
2008263486.tif 000012